(57)【特許請求の範囲】
【請求項１】
橋梁部の縦桁および横桁上面に離型手段を設けるための離型手段積層工程と、縦桁および横桁上に積層された離型手段上に、コンクリート打設時に橋梁部の主桁ウエブと一体化することを防止しかつコンクリートを板状に形成するための型枠を形成する型枠形成工程と、離型手段上の型枠内にコンクリートを打設して床版コンクリートを形成するコンクリート打設工程と、床版コンクリートをジャッキアップさせるジャッキアップ工程と、ジャッキアップされた床版コンクリートと縦桁および横桁との間隙に防振材を配置する防振材設置工程と、床版コンクリートをジャッキダウンさせるジャッキダウン工程と、からなることを特徴とする橋梁部軌道の製造方法。
【請求項２】
前記離型手段は、鉄板からなることを特徴とする請求項１記載の橋梁部軌道の製造方法。
【請求項３】
前記離型手段は、橋梁部の縦桁および横桁上面に離型剤を塗布するものであることを特徴とする請求項１記載の橋梁部軌道の製造方法。
【請求項４】
前記ジャッキアップ工程にて床版コンクリートをアップさせるジャッキは、縦桁および横桁にその軸線が垂直となるようにボルトを螺合し、このボルトと一体に、該ボルトとともに上下動するフランジを設けることにより構成されることを特徴とする請求項２に記載の橋梁部軌道の製造方法。
【発明の詳細な説明】
【技術分野】
【０００１】
本発明は橋梁部において防振軌道を構築することができる橋梁部軌道の製造方法に関する。
【背景技術】
【０００２】
従来、橋梁部では、鉄桁上に設置されたコンクリートスラブの上面に、枕木（縦型、横型いずれでも良い）を敷設することにより、橋梁部の軌道を構成するようにしている。この種のコンクリートスラブとしては、例えば、特許文献１及び２に示される床版コンクリートがあり、この床版コンクリート上に、支持材を介して枕木が設置される構成とされている。
【特許文献１】特開２００５−１６３２６４号公報
【特許文献２】特開２００２−３３２６０１号公報
【発明の開示】
【発明が解決しようとする課題】
【０００３】
ところで、橋梁部に設置されたコンクリートスラブでは、スラブ軌道上を列車が通過した際に、コンクリートスラブの振動が橋梁部の鉄桁に伝わることによって騒音が生じ、その騒音を軽減又は防止するための対策が必要となっていた。
【０００４】
本発明は、従来の有していた問題を解決しようとするものであって、橋梁部において防振性能の高い軌道を簡易に構築することができる橋梁部軌道の製造方法の提供を目的とする。
【課題を解決するための手段】
【０００５】
そして、上記目的を達成するために本発明の課題解決手段では、橋梁部の縦桁および横桁上面に離型手段を設けるための離型手段積層工程と、縦桁および横桁上に積層された離型手段上に、コンクリート打設時に橋梁部の主桁ウエブと一体化することを防止しかつコンクリートを板状に形成するための型枠を形成する型枠形成工程と、離型手段上の型枠内にコンクリートを打設して床版コンクリートを形成するコンクリート打設工程と、床版コンクリートをジャッキアップさせるジャッキアップ工程と、ジャッキアップされた床版コンクリートと縦桁および横桁との間隙に防振材を配置する防振材設置工程と、床版コンクリートをジャッキダウンさせるジャッキダウン工程と、を有する。
【０００６】
また、本発明の課題解決手段では、前記離型手段を、鉄板から構成する。
【０００７】
また、本発明の課題解決手段では、前記離型手段を、橋梁部の縦桁および横桁上面に離型剤を塗布することにより構成する。
【０００８】
また、本発明の課題解決手段では、前記ジャッキアップ工程にて床版コンクリートをアップさせるジャッキを、縦桁および横桁にその軸線が垂直となるようにボルトを螺合し、このボルトの上端に、該ボルトとともに上下動するフランジを設けることにより構成する。
【発明の効果】
【０００９】
本発明の橋梁部軌道の構築方法では、橋梁部の縦桁および横桁上面に、鉄板を敷く又は離型を塗布するなどの離型手段を設けた後、この離型手段上に型枠を形成し、この型枠内にコンクリートを打設して枕木が敷設される床版コンクリートを形成する。コンクリート固化後、床版コンクリートをジャッキアップし、ジャッキアップした床版コンクリートと縦桁および横桁との間隙に防振材を配置した後、床版コンクリートをジャッキダウンさせることで、橋梁部の縦桁および横桁と床版コンクリートとの間に防振材が密着配置される。そして、以上のような工程により、橋梁部の縦桁および横桁と床版コンクリートとの間に簡易に防振材を設置することができ、この防振材により、床版コンクリート上の軌道を列車が走行した場合に、床版コンクリートの振動が、橋梁部の鉄桁に伝わることが防止され、これにより発生する騒音を軽減又は防止することが可能となる。又、床版コンクリートの下面に離型手段が積層されているので、床版コンクリートをジャッキアップするに際して、該床版コンクリートが縦桁および横桁と密着することが無く、そのジャッキアップを支障なく行うことができる。
【００１０】
また、本発明の橋梁部軌道の構築方法では、縦桁および横桁にその軸線が垂直となるようにボルトを螺合し、このボルトの上端に、該ボルトとともに上下動するフランジを設けることにより構成したので、ボルトの頭部をスパナ等で操作して、該ボルトを橋梁部の縦桁および横桁に対して上下動させることによって、上述した床版コンクリートのジャッキアップ、ジャッキダウンの作業を簡単に行うことができ、その作業性を向上させることが可能となる。
【発明を実施するための最良の形態】
【００１１】
以下に本発明の実施の形態を図１〜図７に基づいて説明する。これらの図は橋梁部軌道の構築方法を工程順に説明するための説明図であって、まず、図１において符号１は、縦桁および横桁２と主桁ウエブ３とからなる橋梁部である。縦桁および横桁２は、桁上フランジ４と桁下フランジ５とを有し、桁上フランジ４には、後述する床版コンクリートにおいて、ジベル等として使用されるボルト６が固定されている。また、ボルト６には、フランジ６ａが一体に取り付けられている。
【００１２】
次に、図１に示す橋梁部１の縦桁および横桁２上に、図２に示す如く離型手段となる敷き鉄板７を載置する（離型手段積層工程）。この敷き鉄板７は、後述する床版コンクリートの設置位置に一致するように配置し、かつ該床版コンクリートの大きさ（縦横の大きさ）よりやや大きく形成する。なお、敷き鉄板７には、ボルト６が上下に挿通されるように予め貫通孔（図示せず）を設けておくようにする。また、離型手段として敷き鉄板７を使用することに限定されず、離型剤を縦桁および横桁２上に塗布しても良い。また、敷き鉄板７に代えて、型枠の底板をなすような木板を使用しても良い。
【００１３】
次に、図３に示すように、縦桁および横桁２上に積層した敷き鉄板７上に、コンクリート打設時に橋梁部１の主桁ウエブ３と一体化することを防止しかつコンクリートを板状に形成するための型枠８を形成する（型枠形成工程）。その後、敷き鉄板７を底板として、型枠８内にコンクリートを打設して床版コンクリート９を形成する（コンクリート打設工程）。なお、コンクリートを型枠８内に打設するに際して、コンクリートがボルト６に密着しないように、離型剤を塗布しておいたり、コンクリートにボルト貫通用のスリーブを埋め込んでおくことが望ましい。また、型枠８として、例えば発泡スチロール、材木などが使用される。そして、以上のような型枠形成工程、コンクリート打設工程によって形成された床版コンクリート９の平面図を、図７に示す。同図に示されるように床版コンクリート９は、橋梁部１の主桁ウエブ３間にて列車軌道に沿うように複数配置される。
【００１４】
次に、コンクリートが固化して、型枠８を取り除いた後は、図４に示すように、床版コンクリート９をジャッキアップさせる（ジャッキアップ工程）。このジャッキアップには、油圧ジャッキ、パンタグラフジャッキ等を利用して、床版コンクリート９を下方から持ち上げても良いし、上方から吊り下げても良い。
【００１５】
次に、図５に示すように、ジャッキアップされた床版コンクリート９と縦桁および横桁２の桁上フランジ４との間隙にゴムからなる防振材１０を設置する（防振材設置工程）。なお、この防振材１０は、軌道に沿った長尺なものでも良いし、四角形状のものであっても良く、その形状及び設置数は限定されない。
【００１６】
次に、図６に示すように、床版コンクリート９をジャッキダウンさせることで、橋梁部１の縦桁および横桁２と床版コンクリート９との間に防振材１０を密着配置させる（ジャッキダウン工程）。その後、床版コンクリート９上に軌道１１を設置する。本実施形態では、床版コンクリート９上に支持台座１２を設置し、この支持台座１２上にラダー枕木１３を介してレール１４を締結固定することにより軌道１１を形成したが、このようなラダー枕木１３に限定されず、横枕木を使用しても良い。
【００１７】
以上詳細に説明したように、本実施形態に示される橋梁部軌道の構築方法では、橋梁部１の縦桁および横桁２上面に敷き鉄板７を載置した後、この敷き鉄板７上に型枠８を形成し、この型枠８内にコンクリートを打設して軌道１１が敷設される床版コンクリート９を形成する。コンクリート固化後、床版コンクリート９をジャッキアップし、ジャッキアップした床版コンクリート９と縦桁および横桁２との間隙に防振材１０を配置した後、床版コンクリート９をジャッキダウンさせることで、橋梁部１の縦桁および横桁２と床版コンクリート９との間に防振材１０が密着配置される。そして、以上のような工程により、橋梁部１の縦桁および横桁２と床版コンクリート９との間に簡易に防振材１０を設置することができ、この防振材１０により、床版コンクリート９上の軌道１１を列車が走行した場合に、床版コンクリート９の振動が、橋梁部１の鉄桁に伝わることが防止され、これにより発生する騒音を軽減又は防止することが可能となる。又、床版コンクリート９の下面に離型手段となる敷き鉄板７（又は木板、又は離型剤）が積層されているので、床版コンクリート９をジャッキアップするに際して、該床版コンクリート９が橋梁部１の縦桁および横桁２と密着せず、そのジャッキアップを支障無く行うことができる。
【００１８】
なお、前記実施形態では、床版コンクリート９をアップさせるジャッキとしては、例えば、橋梁部１の縦桁および横桁２の桁上フランジ４に垂直に雌ねじを切っておき、これにボルト６を螺合し、このボルト６にフランジ６ａを設けて一体に上下動することによって、ジャッキとして利用できるようにしている。このフランジ６aは、ボルト６の頭部をスパナ等で操作して回転させることにほり、橋梁部１の縦桁および横桁２に対して上下動することができ、このフランジ６ａの上下動により、敷き鉄板７及びその上の床版コンクリート９を同じく上下動させることができる。すなわち、前記ボルト6の上下動により、敷き鉄板７上の床版コンクリート９をジャッキアップ、ジャッキダウンさせることができる。
なお、前記ボルト６を単なるジベルボルトとして用い、別途持ち込んだジャッキによりコンクリート床版をジャッキアップし、あるいはクレーンによってつり上げても良い。
また敷き鉄板を省略しても良いが、この場合、コンクリート打設に際し、板材等によって型枠８の底をふさぐことが必要なのはもちろんである。
【図面の簡単な説明】
【００１９】
【図１】床版コンクリート設置前の橋梁部１を示す正断面図
【図２】離型手段積層工程を説明するための正断面図
【図３】型枠形成工程、コンクリート打設工程を説明するための正断面図
【図４】ジャッキアップ工程を説明するための正断面図
【図５】防振材設置工程を説明するための正断面図
【図６】ジャッキダウン工程を説明するための正断面図
【図７】橋梁部１上の床版コンクリート９を上方から見た平面図
【符号の説明】
【００２０】
１  橋梁部
２  縦桁および横桁
３  主桁ウエブ
４  桁上フランジ
５  桁下フランジ
６  ボルト
６a  フランジ
７  敷き鉄板
８  型枠
９  床版コンクリート
１０  防振材
１１  軌道
【図１】
0004852484.tif 000002
【図２】
0004852484.tif 000003
【図３】
0004852484.tif 000004
【図４】
0004852484.tif 000005
【図５】
0004852484.tif 000006
【図６】
0004852484.tif 000007
【図７】
0004852484.tif 000008